(57)【要約】  吸気弁の弁停止制御を伴うフューエルカットの実行中にオイル上がりを抑制しつつ、フューエルカットからの復帰時に吸気通路への筒内残留ガスの吹き返しを抑制することのできる内燃機関の制御装置およびその内燃機関を備える車両の制御装置を提供する。  吸気弁停止制御を伴うフューエルカットの実行時に、排気弁（３２）の開閉時期の進角制御を実行する。上記フューエルカットからの復帰要求が検知された場合において、上記進角制御が実行されている場合には、排気弁（３２）の開閉時期の進角量が所定値以下になるように遅角する。
2011114518.tif 000002
【特許請求の範囲】
【請求項１】
吸気弁の動作状態を弁稼働状態と閉弁停止状態との間で変更可能な吸気弁停止機構と、
排気弁の開弁特性を変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
を備えることを特徴とする内燃機関の制御装置。
【請求項２】
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまで、前記閉弁停止状態から前記弁稼働状態への前記吸気弁の動作状態の変更を遅延させる吸気弁復帰遅延実行手段と、
を更に備えることを特徴とする請求項１記載の内燃機関の制御装置。
【請求項３】
前記吸気弁停止制御を伴う前記フューエルカットからの復帰要求が検知された場合に、前記吸気弁の動作状態を前記閉弁停止状態から前記弁稼働状態に変更する吸気弁復帰実行手段と、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまでの間、燃焼時の筒内圧力の上昇を抑制する筒内圧上昇抑制制御を実行する弁復帰時筒内圧制御手段と、
を更に備えることを特徴とする請求項１記載の内燃機関の制御装置。
【請求項４】
前記筒内圧抑制制御は、燃料噴射量の減少、スロットルバルブの開度の減少、および前記吸気弁のリフト量の減少のうちの少なくとも１つを行う制御であることを特徴とする請求項３記載の内燃機関の制御装置。
【請求項５】
前記排気可変動弁装置は、クランクシャフトの回転位相に対する排気カムシャフトの回転位相を変更することで、前記排気弁の開閉時期を変更可能な位相可変機構を含み
前記弁停止時排気弁制御手段は、前記吸気弁停止制御の実行時に、前記排気弁の開閉時期の進角制御を行う手段であって、
前記弁復帰時排気弁制御手段は、前記吸気弁停止制御を伴う前記フューエルカットからの復帰要求が検知された場合に、前記排気弁の開閉時期の遅角制御を行う手段であって、
前記排気弁制御量判定手段は、前記弁復帰時排気弁制御手段による前記遅角制御の実行時に、前記排気弁の開閉時期の進角量が所定値以下になるまで制御されたか否かを判定する手段であることを特徴とする請求項１乃至４の何れか１項記載の内燃機関の制御装置。
【請求項６】
前記内燃機関の制御装置は、筒内圧力を検知または推定する筒内圧力取得手段を更に備え、
前記排気弁制御量判定手段は、前記吸気弁停止制御の実行時に、前記排気弁の開弁時の筒内圧力が所定値以下である場合に、前記排気弁の開弁特性が前記制御量になるまで制御されたと判定することを特徴とする請求項１乃至５の何れか１項記載の内燃機関の制御装置。
【請求項７】
前記内燃機関の制御装置は、前記吸気弁停止制御の実行中にクランク室側から燃焼室側に向けて移動するオイルの量であるオイル上がり量を推定するオイル上がり量推定手段を更に備え、
前記弁停止時排気弁制御手段は、前記オイル上がり量が所定値以上である場合に、前記排気弁の開弁特性の前記変更を実行することを特徴とする請求項１乃至６の何れか１項記載の内燃機関の制御装置。
【請求項８】
前記オイル上がり量推定手段は、エンジン回転数、オイル温度、フューエルカット継続時間、および筒内圧力のうちの少なくとも１つに基づいて、前記オイル上がり量を推定する手段であることを特徴とする請求項１乃至７の何れか１項記載の内燃機関の制御装置。
【請求項９】
前記内燃機関と組み合わされる変速機とともに前記内燃機関を備える車両の制御装置であって、
前記変速機を操作するための操作手段のシフトポジションを検知するシフトポジション検知手段を更に備え、
前記弁復帰時排気弁制御手段は、前記弁停止時排気弁制御手段による前記排気弁の開弁特性の変更が実行されている場合において、第１モードから当該第１モードよりも高い減速力が得られる第２モードへの前記シフトポジションの変更が検知された場合には、前記筒内残留ガス量が減るように前記排気弁の開弁特性を変更するモード変更時排気弁制御手段を含むことを特徴とする請求項１乃至８の何れか１項記載の内燃機関を備える車両の制御装置。
【請求項１０】
前記モード変更時排気弁制御手段は、前記第１モードから前記第２モードに変更する際の前記操作手段の操作に要する時間として予め設定されたモード変更操作時間内に、前記排気弁の開弁特性の変更を実行することを特徴とする請求項９記載の内燃機関を備える車両の制御装置。
【発明の詳細な説明】
【技術分野】
【０００１】
この発明は、内燃機関の制御装置およびその内燃機関を備える車両の制御装置に係り、特に、吸気弁を閉弁位置で停止維持可能な弁停止機構付きの内燃機関の制御装置およびその内燃機関を備える車両の制御装置に関する。
【背景技術】
【０００２】
従来、例えば特許文献１には、多気筒内燃機関の制御装置が開示されている。この従来の制御装置では、一部気筒の運転を休止させる減筒運転時に、休止気筒における吸気弁の動作を閉弁位置で停止させるようにしている。そのうえで、休止気筒における排気弁の開き時期を膨張下死点よりも後の所定時期となるように遅角させるとともに当該排気弁の閉じ時期を排気上死点よりも前の所定時期となるように進角させるようにしている。このような制御によれば、吸気弁が閉弁停止状態とされる休止気筒において、排気弁の閉じ時期を進角させることで休止気筒内に排気ガスを残留させることができる。これにより、休止気筒内が過剰に負圧状態となるのを抑制し、休止気筒におけるオイル上がりを抑制することができる。
尚、出願人は、本発明に関連するものとして、上記の文献を含めて、以下に記載する文献を認識している。
【先行技術文献】
【特許文献】
【０００３】
【特許文献１】日本特開平７−１１９５０２号公報
【特許文献２】日本特開２０００−３４９４１号公報
【特許文献３】日本特開２００１−２０７８７７号公報
【特許文献４】国際公開第２００５／０５６９９５号
【特許文献５】日本特開２００５−１０５８６９号公報
【発明の概要】
【発明が解決しようとする課題】
【０００４】
しかしながら、上記従来の技術のように、吸気弁の弁停止制御を伴うフューエルカットの実行中にオイル上がりの抑制のために排気弁の閉じ時期の進角制御を行っている場合において、フューエルカットからの復帰時に、排気弁の閉じ時期が進角されたままの状態で吸気弁の動作状態が弁稼働状態に復帰すると、吸気通路に向けて多量の筒内残留ガスの吹き返しが生ずる。【０００５】
この発明は、上述のような課題を解決するためになされたもので、吸気弁の弁停止制御を伴うフューエルカットの実行中にオイル上がりを抑制しつつ、フューエルカットからの復帰時に吸気通路への筒内残留ガスの吹き返しを抑制することのできる内燃機関の制御装置およびその内燃機関を備える車両の制御装置を提供することを目的とする。
【課題を解決するための手段】
【０００６】
第１の発明は、内燃機関の制御装置であって、
吸気弁の動作状態を弁稼働状態と閉弁停止状態との間で変更可能な吸気弁停止機構と、
排気弁の開弁特性を変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
を備えることを特徴とする。【０００７】
第２の発明は、第１の発明において、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまで、前記閉弁停止状態から前記弁稼働状態への前記吸気弁の動作状態の変更を遅延させる吸気弁復帰遅延実行手段と、
を更に備えることを特徴とする。【０００８】
また、第３の発明は、第１の発明において、
前記吸気弁停止制御を伴う前記フューエルカットからの復帰要求が検知された場合に、前記吸気弁の動作状態を前記閉弁停止状態から前記弁稼働状態に変更する吸気弁復帰実行手段と、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまでの間、燃焼時の筒内圧力の上昇を抑制する筒内圧上昇抑制制御を実行する弁復帰時筒内圧制御手段と、
を更に備えることを特徴とする。【０００９】
また、第４の発明は、第３の発明において、
前記筒内圧抑制制御は、燃料噴射量の減少、スロットルバルブの開度の減少、および前記吸気弁のリフト量の減少のうちの少なくとも１つを行う制御であることを特徴とする。【００１０】
また、第５の発明は、第１乃至第４の発明の何れかにおいて、
前記排気可変動弁装置は、クランクシャフトの回転位相に対する排気カムシャフトの回転位相を変更することで、前記排気弁の開閉時期を変更可能な位相可変機構を含み
前記弁停止時排気弁制御手段は、前記吸気弁停止制御の実行時に、前記排気弁の開閉時期の進角制御を行う手段であって、
前記弁復帰時排気弁制御手段は、前記吸気弁停止制御を伴う前記フューエルカットからの復帰要求が検知された場合に、前記排気弁の開閉時期の遅角制御を行う手段であって、
前記排気弁制御量判定手段は、前記弁復帰時排気弁制御手段による前記遅角制御の実行時に、前記排気弁の開閉時期の進角量が所定値以下になるまで制御されたか否かを判定する手段であることを特徴とする。【００１１】
また、第６の発明は、第１乃至第５の発明の何れかにおいて、
前記内燃機関の制御装置は、筒内圧力を検知または推定する筒内圧力取得手段を更に備え、
前記排気弁制御量判定手段は、前記吸気弁停止制御の実行時に、前記排気弁の開弁時の筒内圧力が所定値以下である場合に、前記排気弁の開弁特性が前記制御量になるまで制御されたと判定することを特徴とする。【００１２】
また、第７の発明は、第１乃至第６の発明の何れかにおいて、
前記内燃機関の制御装置は、前記吸気弁停止制御の実行中にクランク室側から燃焼室側に向けて移動するオイルの量であるオイル上がり量を推定するオイル上がり量推定手段を更に備え、
前記弁停止時排気弁制御手段は、前記オイル上がり量が所定値以上である場合に、前記排気弁の開弁特性の前記変更を実行することを特徴とする。【００１３】
また、第８の発明は、第１乃至第７の発明の何れかにおいて、
前記オイル上がり量推定手段は、エンジン回転数、オイル温度、フューエルカット継続時間、および筒内圧力のうちの少なくとも１つに基づいて、前記オイル上がり量を推定する手段であることを特徴とする。【００１４】
また、第９の発明は、第１乃至第８の発明の何れかにおいて、
前記内燃機関と組み合わされる変速機とともに前記内燃機関を備える車両の制御装置であって、
前記変速機を操作するための操作手段のシフトポジションを検知するシフトポジション検知手段を更に備え、
前記弁復帰時排気弁制御手段は、前記弁停止時排気弁制御手段による前記排気弁の開弁特性の変更が実行されている場合において、第１モードから当該第１モードよりも高い減速力が得られる第２モードへの前記シフトポジションの変更が検知された場合には、前記筒内残留ガス量が減るように前記排気弁の開弁特性を変更するモード変更時排気弁制御手段を含むことを特徴とする。【００１５】
また、第１０の発明は、第９の発明において、
前記モード変更時排気弁制御手段は、前記第１モードから前記第２モードに変更する際の前記操作手段の操作に要する時間として予め設定されたモード変更操作時間内に、前記排気弁の開弁特性の変更を実行することを特徴とする。
【発明の効果】
【００１６】
第１の発明によれば、上記吸気弁停止制御を伴うフューエルカットからの復帰要求が検知された場合において、弁停止時排気弁制御手段による排気弁の開弁特性の変更が実行されている場合には、筒内残留ガス量が減るように排気弁の開弁特性が変更される。これにより、吸気弁停止制御を伴うフューエルカットの実行中にオイル上がりを抑制しつつ、フューエルカットからの復帰時に吸気通路への筒内残留ガスの吹き返しを抑制することができる。【００１７】
第２の発明によれば、上記吸気弁停止制御を伴うフューエルカットからの復帰要求が検知された場合に、上記弁復帰時排気弁制御手段によって排気弁の開弁特性が上記制御量になるまで制御されたと判定されるまで、閉弁停止状態から弁稼働状態への吸気弁の動作状態の変更が遅延させられる。これにより、吸気弁停止制御の実行中にはオイル上がりを抑制しつつ、吸気弁の復帰時に多量の筒内残留ガスが吸気通路に向けて吹き返されるのを抑制することができる。【００１８】
第３の発明によれば、上記吸気弁停止制御を伴うフューエルカットからの復帰要求が検知された場合に、上記弁復帰時排気弁制御手段によって排気弁の開弁特性が上記制御量になるまで制御されたと判定されるまでの間、上記筒内圧上昇抑制制御が実行される。このような筒内圧上昇抑制制御によって、上記弁復帰時排気弁制御手段による制御が十分に進行していない復帰当初の期間中に、燃焼時の筒内圧の上昇を抑制することで、吸気弁停止制御の実行中にはオイル上がりを抑制しつつ、吸気弁の復帰時に吸気通路に向けて吹き返される筒内残留ガス量を低減することができる。【００１９】
第４の発明によれば、燃料噴射量の減少、スロットルバルブの開度の減少、および前記吸気弁のリフト量の減少のうちの少なくとも１つに基づいて、フューエルカットからの復帰当初の期間中に、燃焼時の筒内圧の上昇を良好に抑制することができる。【００２０】
第５の発明によれば、上記位相可変機構を備える排気可変動弁装置を用いて、吸気弁停止制御の実行中に排気弁の開閉時期の進角制御を行い、フューエルカットからの復帰要求が検知された場合に排気弁の開閉時期の遅角制御を行う構成において、上記第１乃至第３の発明による効果を奏することができる。【００２１】
第６の発明によれば、吸気弁停止制御の実行時に、排気弁の開弁時の筒内圧力に基づいて、排気弁の開弁特性が上記制御量になるまで制御されたか否かを判定することが可能となる。【００２２】
第７の発明によれば、吸気弁停止制御を伴うフューエルカットの実行時に、オイル上がり量の推定値が上記所定値未満である状況下では、上記弁停止時排気弁制御手段による排気弁の開弁特性の上記変更が実行されないようになる。これにより、オイル上がり量が上記所定値未満である状況下では、フューエルカット復帰時において、上記弁停止時排気弁制御手段による排気弁の開弁特性の上記変更による応答遅れの問題なしに、フューエルカットからの復帰要求に対して迅速に対応できるように準備しておくことができる。このように、本発明によれば、上記応答遅れが生ずるケースを必要最小限に減らすことができる。【００２３】
第８の発明によれば、エンジン回転数、オイル温度、フューエルカット継続時間、および筒内圧力のうちの少なくとも１つに基づいて、オイル上がり量を正確に推定することが可能となる。【００２４】
第９の発明によれば、上記弁停止時排気弁制御手段による排気弁の開弁特性の上記変更が実行されている場合において、第１モードから第２モードへのシフトポジションの変更が検知された場合には、筒内残留ガス量が減るように排気弁の開弁特性の変更が実際の復帰要求の検知に先行して実行されるようになる。これにより、運転者による上記操作手段の操作に要する時間を利用して、フューエルカットからの復帰後のための排気弁の開弁特性の上記変更を進めることができる。このため、本発明によれば、上記のような変速モードの切り換え後に実際にフューエルカットからの復帰要求が出された場合に、排気弁の開弁特性の変更の応答遅れの影響を受けずに、直ちにフューエルカットからの復帰を実行することができ、運転者に加速のもたつき感を感じさせないようにすることができる。【００２５】
第１０の発明によれば、上記モード変更操作時間を利用して、フューエルカットからの復帰後のための排気弁の開弁特性の上記変更を済ませておくことができる。
【図面の簡単な説明】
【００２６】
【図１】本発明の実施の形態１における内燃機関を備える車両の制御装置のシステム構成を説明するための図である。
【図２】図１に示す排気可変動弁装置により排気弁の開閉時期が制御される様子を表したバルブリフトカーブである。
【図３】本発明の実施の形態１における特徴的な制御を説明するためのタイムチャートである。
【図４】本発明の実施の形態１において実行されるルーチンのフローチャートである。
【図５】本発明の実施の形態２における特徴的な制御を説明するためのタイムチャートである。
【図６】本発明の実施の形態２において実行されるルーチンのフローチャートである。
【図７】本発明の実施の形態３における特徴的な制御を説明するためのタイムチャートである。
【図８】本発明の実施の形態３において実行されるルーチンのフローチャートである。
【図９】本発明の実施の形態４における特徴的な制御を説明するためのタイムチャートである。
【図１０】本発明の実施の形態４において実行されるルーチンのフローチャートである。
【図１１】弁停止制御を伴うフューエルカットの実行時に好適な制御を説明するためのタイムチャートである。
【発明を実施するための形態】
【００２７】
実施の形態１．
[システム構成の説明]
図１は、本発明の実施の形態１における内燃機関を備える車両の制御装置のシステム構成を説明するための図である。
本実施形態のシステムは、火花点火式の内燃機関（ガソリンエンジン）１０を備えている。本実施形態では、内燃機関１０は、一例として、＃１〜＃４の４つの気筒を有する直列４気筒型エンジンであるものとする。
【００２８】
内燃機関１０の筒内には、ピストン１２が設けられている。内燃機関１０の筒内には、ピストン１２の頂部側に燃焼室１４が形成され、ピストン１２の下部側にクランク室１６が形成されている。燃焼室１４には、吸気通路１８および排気通路２０が連通している。
【００２９】
吸気通路１８の入口近傍には、吸気通路１８に吸入される空気の流量に応じた信号を出力するエアフローメータ２２が設けられている。エアフローメータ２２の下流には、スロットルバルブ２４が設けられている。スロットルバルブ２４は、アクセル開度と独立してスロットル開度を制御することのできる電子制御式スロットルバルブである。
【００３０】
内燃機関１０が備えるシリンダヘッドには、燃焼室１４内（筒内）に燃料を直接噴射するための筒内燃料噴射弁２６が設けられている。また、内燃機関１０が備えるシリンダヘッドには、燃焼室１４の頂部から燃焼室１４内に突出するように点火プラグ２８が取り付けられている。吸気ポートおよび排気ポートには、それぞれ、燃焼室１４と吸気通路１８、或いは燃焼室１４と排気通路２０を導通状態または遮断状態とするための吸気弁３０および排気弁３２が設けられている。
【００３１】
吸気弁３０は、吸気可変動弁装置３４により駆動される。吸気可変動弁装置３４は、弁稼動状態と閉弁停止状態との間で吸気弁３０の動作状態を気筒単位で変更可能な吸気弁停止機構を有している。この吸気弁停止機構を実現する具体的な構成は、特に限定されるものではなく、例えば、カムの作用力をバルブに伝達するロッカーアームの揺動動作を切換ピンを用いて休止可能な構成を用いることができる。以下、本明細書中においては、吸気弁３０の動作状態を弁稼動状態から閉弁停止状態に切り換える制御を「吸気弁停止制御」と称する。
【００３２】
図２は、図１に示す排気可変動弁装置３６により排気弁３２の開閉時期が制御される様子を表したバルブリフトカーブである。
排気弁３２を駆動する排気可変動弁装置３６は、クランクシャフト（図示省略）の回転位相に対する排気カムシャフト（図示省略）の回転位相を変更することで、排気弁３２の開閉時期を変更可能な位相可変機構（ＶＶＴ（Variable Valve Timing）機構）（図示省略）を備えている。このような位相可変機構を有する排気可変動弁装置３６によれば、図２に示すように、排気弁３２の開閉時期の進角量を調整することができる。
【００３３】
また、図１に示すように、排気通路２０には、排気ガスを浄化するための触媒３８が配置されている。更に、図１に示すシステムは、ＥＣＵ(Electronic Control Unit)４０を備えている。ＥＣＵ４０の入力には、上述したエアフローメータ２２に加え、エンジン回転数を検知するためのクランク角センサ４２、排気弁３２の開閉時期の進角量を検知するための排気カム角センサ４４、車両のアクセルペダルの開度を検知するためのアクセル開度センサ４６、内燃機関１０を潤滑するオイルの温度を検知するための油温センサ４８、および筒内圧力を検知するための筒内圧センサ５０等の内燃機関１０の運転状態を検知するための各種センサが接続されている。また、ＥＣＵ４０の出力には、上述した各種のアクチュエータが接続されている。ＥＣＵ４０は、それらのセンサ出力に基づいて、内燃機関１０の運転状態を制御することができる。
【００３４】
更に、内燃機関１０を搭載する車両は、内燃機関１０と組み合わされる変速機（図示省略）を備えている。ここでは、そのような変速機として、ドライブモード（Ｄモード）とブレーキモード（Ｂモード）とを含む変速モードを有する自動変速機が用いられているものとする。Ｄモードは、自動変速が行われるモードであり、Ｂモードは、Ｄモード使用時と比べて高い減速力が得られるように設定されたモードである。ここでは、そのようなＢモードの一例として、Ｄモード選択時に使用される複数の変速段のうちの高速側の変速段よりも低い減速比で固定されるモードが使用されているものとする（例えば、Ｄモードが１〜５速の５つの変速段での切り換えが行われる場合には、２速に固定されるモードとしてＢモードを備えているものとする）。また、本実施形態のシステムは、上記変速機の変速モードを切り換えるためのシフトレバー（操作手段）のシフトポジションを検知するためのシフトポジションセンサ５２を備えている。シフトポジションセンサ５２は、上記ＥＣＵ４０に接続されている。
【００３５】
［吸気弁停止制御を伴うフューエルカットからの復帰時の課題］
排気通路２０に配置される触媒３８が高温状態にある場合に、酸素濃度の高い新気が触媒３８に供給されると、触媒３８に劣化が生ずることが懸念される。上述した吸気可変動弁装置３４を備える本実施形態のシステムによれば、減速時等においてフューエルカットの実行要求が出された場合に、吸気弁３０に対して弁停止制御（吸気弁停止制御）を行うことで、フューエルカット中に触媒３８に新気が流入するのを防止することができる。
【００３６】
ところが、フューエルカットの実行中に吸気弁３０が閉弁停止状態とされると、筒内（燃焼室１４内）が大きく負圧化する。その結果、シリンダ壁面に付着しているオイルがクランク室１６側から燃焼室１４側に向けて移動する現象（いわゆるオイル上がり）が生ずる。本実施形態では、このようなオイル上がりを抑制するために、吸気弁停止制御を伴うフューエルカットの実行中に、排気弁３２の開閉時期の進角制御を行うようにしている。このような排気弁３２の開閉時期の進角制御によれば、通常であれば排気上死点近傍の時期とされる排気弁３２の閉じ時期を進角することによって、排気弁３２の閉弁時に筒内（燃焼室１４内）に残留するガス（以下、「筒内残留ガス」と称する）の量を増やすことができる。これにより、吸気弁停止制御中に筒内が大きく負圧化するのを回避することができ、オイル上がりを抑制することができる。
【００３７】
しかしながら、吸気弁停止制御を伴うフューエルカットの実行中にオイル上がりの抑制のために、上記のように排気弁３２の閉じ時期の進角制御を行っている場合において、フューエルカットからの復帰時に、排気弁３２の閉じ時期が進角されたままの状態で吸気弁３０の動作状態が弁稼働状態に復帰すると、吸気通路１８に向けて多量の筒内残留ガスの吹き返しが生ずる。その結果、吸気通路１８のポート部へのデポジットの堆積が促進されてしまう。また、フューエルカットからの復帰時に、排気弁３２の閉じ時期の進角とともにその開き時期の進角もなされたままの状態で吸気弁３０の動作状態が弁稼働状態に復帰すると、排気弁３２の開弁時に燃焼室１４内の高温高圧の燃焼途中のガスが排気通路２０に向けて勢い良く流れ出てしまう。その結果、排気衝撃波による騒音や触媒３８の損傷の発生が懸念される。
【００３８】
［フューエルカットからの復帰時における実施の形態１の特徴的な制御］
図３は、本発明の実施の形態１における特徴的な制御を説明するためのタイムチャートである。より具体的には、図３（Ａ）はアクセルペダルの踏み込みのＯＮ、ＯＦＦを表す波形を、図３（Ｂ）は排気弁３２の開閉時期の制御位置を表す波形を、図３（Ｃ）はフューエルカット（Ｆ／Ｃ）フラグ（弁復帰指令）のＯＮ、ＯＦＦを表す波形を、それぞれ示している。
【００３９】
図３中に示す時点ｔ０以前の状態は、アクセルペダルがＯＦＦとされている減速中に、吸気弁停止制御を伴うフューエルカットが実行され、かつ、オイル上がり抑制のために排気弁３２の開閉時期の上記進角制御が実行されている状態である。本実施形態では、このような状態に置かれている際に、図３（Ａ）に示すように時点ｔ０においてアクセルペダルの踏み込みが検知された場合（運転者の加速要求が検知された場合）には、吸気弁停止制御を伴うフューエルカットからの復帰要求が出されたと判断するようにしている。
【００４０】
本実施形態では、時点ｔ０において上記復帰要求が検知された場合であっても、直ちに吸気弁停止制御からの復帰を行うのではなく、先ず、図３（Ｂ）に示すように、オイル上がり抑制のために進角制御されていた排気弁３２の開閉時期を弁稼働時の位置に戻すための遅角制御が実行される。
【００４１】
そして、本実施形態では、吸気通路１８への筒内残留ガスの吹き返しの影響がなくなったと判断できる制御量にまで排気弁３２の開閉時期が遅角された時点ｔ１において、図３（Ｃ）に示すように、吸気弁停止制御からの復帰を伴うフューエルカットからの復帰が実行される。このように、本実施形態では、フューエルカットからの復帰要求が出された場合には、排気弁３２の開閉時期が上記制御量に遅角されるまで、弁稼働状態への吸気弁３０の復帰が遅延させられる（禁止される）。
【００４２】
図４は、上記の機能を実現するために、本実施の形態１においてＥＣＵ４０が実行する制御ルーチンを示すフローチャートである。尚、本ルーチンは、所定の制御周期毎に繰り返し実行されるものである。
図４に示すルーチンでは、先ず、フューエルカット（Ｆ／Ｃ）の実行要求があるか否かがアクセル開度センサ４６等の出力に基づいて判定される（ステップ１００）。
【００４３】
その結果、フューエルカットの実行要求があると判定された場合には、フューエルカットが実行される（ステップ１０２）とともに、吸気弁停止制御が実行される（ステップ１０４）。次いで、オイル上がりの抑制のために、排気弁３２の開閉時期の進角制御が実行される（ステップ１０６）。
【００４４】
次に、アクセルペダルの踏み込みの有無の判断等に基づいて、フューエルカットからの復帰要求があるか否かが判定される（ステップ１０８）。その結果、フューエルカットからの復帰要求があると判定された場合には、筒内残留ガス量を減らすために、排気弁３２の開閉時期の遅角制御が実行される（ステップ１１０）。
【００４５】
次に、排気弁３２の開閉時期の進角量が所定値以下であるか否かが判定される（ステップ１１２）。本ステップ１１２における排気弁３２の開閉時期の所定値は、吸気通路１８への筒内残留ガスの吹き返しの影響があるか否かを判断するための閾値として予め設定された値である。本ステップ１１２の判定が未だ不成立である場合には、筒内残留ガスの上記吹き返しに関して排気弁３２の開閉時期の遅角が十分でないと判断され、吸気弁停止制御からの復帰が禁止される。
【００４６】
一方、上記ステップ１１２の判定が成立した場合には、筒内残留ガスの上記吹き返しに関して排気弁３２の開閉時期の遅角が十分になされたと判断される。この場合には、吸気弁停止制御の実行中の吸気弁３０の動作状態を弁稼働状態に復帰させる処理が実行される（ステップ１１４）とともに、フューエルカットからの復帰（すなわち、燃料噴射の再開）が実行される（ステップ１１６）。
【００４７】
以上説明した図４に示すルーチンによれば、フューエルカットからの復帰要求が出された場合には、筒内残留ガスの上記吹き返しの影響がなくなったと判断できる制御位置に向けて排気弁３２の開閉時期が遅角される。更に、排気弁３２の開閉時期が当該制御位置に遅角されるまで、弁稼働状態への吸気弁３０の復帰が遅延させられる（禁止される）。これにより、吸気弁停止制御の実行中にはオイル上がりを抑制しつつ、吸気弁３０の復帰時に多量の筒内残留ガスが吸気通路１８に向けて吹き返されるのを防止することができる。また、排気衝撃波による騒音や触媒３８の損傷の発生を防止することができる。
【００４８】
ところで、上述した実施の形態１においては、吸気弁停止制御の実行時に、オイル上がりを抑制するために、排気可変動弁装置３６が備える位相可変機構を用いて排気弁３２の開閉時期を進角させるようにしている。しかしながら、本発明において、吸気弁停止制御の実行時に実行される排気弁の開弁特性の変更は、このような手法によるものに限られない。すなわち、この場合の排気弁の開弁特性の変更は、吸気弁停止制御の実行中において、排気弁の閉弁時に筒内に残留する筒内残留ガス量が増えるように行う制御であればよい。例えば、排気弁の閉じ時期をその開き時期と独立して変更可能な排気可変動弁装置を備えている場合には、弁稼働状態の制御位置と比べ、排気弁の閉じ時期のみを排気上死点に対して進角側または遅角側に調整する手法であってもよい。
【００４９】
また、上述した実施の形態１においては、弁停止制御を伴うフューエルカットからの復帰要求が検知された場合に、排気弁３２の開閉時期の進角量が上記所定値以下になるまで、弁稼働状態への吸気弁３０の復帰を遅延させる（禁止する）ようにしている。しかしながら、本発明はこれに限定されるものではない。すなわち、例えば、図１に示す内燃機関１０のように筒内圧力を検知するための筒内圧センサ５０を備えている場合には、上記復帰要求が検知された場合に、排気弁の開弁時の筒内圧力が、吸気通路への筒内残留ガスの吹き返しの影響があるか否かを判断するための所定値以下となるまで、弁稼働状態への吸気弁の復帰を遅延させるようにしてもよい。
【００５０】
尚、上述した実施の形態１においては、吸気可変動弁装置３４が備える吸気弁停止機構が前記第１の発明における「吸気弁停止機構」に相当している。また、ＥＣＵ４０が、上記ステップ１０２の処理を実行することにより前記第１の発明における「フューエルカット実行手段」が、上記ステップ１０４の処理を実行することにより前記第１の発明における「吸気弁停止実行手段」が、上記ステップ１０６の処理を実行することにより前記第１の発明における「弁停止時排気弁制御手段」が、上記ステップ１０８の処理を実行することにより前記第１の発明における「フューエルカット復帰要求検知手段」が、上記ステップ１１０の処理を実行することにより前記第７の発明における「弁復帰時排気弁制御手段」が、それぞれ実現されている。
また、ＥＣＵ４０が、上記ステップ１１２の処理を実行することにより前記第２の発明における「排気弁制御量判定手段」が、上記図４に示すルーチンの順序で上記ステップ１０８〜１１６の一連の処理を実行することにより前記第２の発明における「吸気弁復帰遅延実行手段」が、それぞれ実現されている。
また、筒内圧センサ５０が前記第６の発明における「筒内圧力取得手段」に相当している。
【００５１】
実施の形態２．
次に、図５および図６を参照して、本発明の実施の形態２について説明する。
本実施形態のシステムは、図１に示すハードウェア構成を用いて、ＥＣＵ４０に図４に示すルーチンに代えて後述の図６に示すルーチンを実行させることにより実現することができるものである。
【００５２】
図５は、本発明の実施の形態２における特徴的な制御を説明するためのタイムチャートである。より具体的には、図５（Ａ）〜（Ｃ）は、図３（Ａ）〜（Ｃ）と同様に、アクセルペダルの踏み込み、排気弁３２の開閉時期の制御位置、およびＦ／Ｃフラグ（弁復帰指令）に対応しており、図５（Ｄ）は、内燃機関１０の１サイクル中の筒内圧力のピーク値（ピーク筒内圧）の変化を表す波形を示している。
【００５３】
図５（Ａ）、（Ｂ）に示すように、アクセルペダルの踏み込み（フューエルカットからの復帰要求）が検知された場合に、オイル上がり抑制のために進角制御されていた排気弁３２の開閉時期を弁稼働時の位置に戻すための遅角制御が実行される点については、本実施形態の制御も上述した実施の形態１の制御と同様である。そのうえで、図５（Ｃ）に示すように、本実施形態の制御は、アクセルペダルの踏み込み（フューエルカットからの復帰要求）が検知された時点ｔ０において、直ちに吸気弁停止制御からの復帰を伴うフューエルカットからの復帰が実行される点が実施の形態１の制御と異なっている。
【００５４】
更に、本実施形態では、上記時点ｔ０から時点ｔ１（吸気通路１８への筒内残留ガスの吹き返しの影響がなくなったと判断できる制御量にまで排気弁３２の開閉時期が遅角された時点）までの期間中に、図５（Ｄ）に示すように、フューエルカットからの復帰後の燃焼時の筒内圧力の上昇を抑制するための制御を実行する点に特徴を有している。このような筒内圧上昇抑制制御は、例えば、燃料噴射量の減少、またはスロットル開度の減少による吸入空気量の減少により実現することができる。尚、吸気弁３０のリフト量を変更可能とするリフト可変機構を備えている場合には、吸気弁３０のリフト量の減少により吸入空気量を減少させることにより筒内圧力の上昇を抑制してもよい。
【００５５】
筒内圧上昇抑制制御では、より具体的には、上記時点ｔ０から上記時点ｔ１までの期間中に、弁復帰当初は低めの筒内圧力（トルク）が得られるように燃料噴射量や吸入空気量の減少を実行する。そして、図５（Ｂ）、（Ｄ）に示すように、排気弁３２の開閉時期の遅角の進行に伴って、徐々に筒内圧力（トルク）が上昇するように、燃料噴射量や吸入空気量の調整が行われる。
【００５６】
図６は、上記の機能を実現するために、本実施の形態２においてＥＣＵ４０が実行する制御ルーチンを示すフローチャートである。尚、本ルーチンは、所定の制御周期毎に繰り返し実行されるものである。また、図６において、実施の形態１における図４に示すステップと同一のステップについては、同一の符号を付してその説明を省略または簡略する。
【００５７】
図６に示すルーチンでは、上記ステップ１０８においてフューエルカットからの復帰要求があると判定された場合には、筒内残留ガス量を減らすために排気弁３２の開閉時期の遅角制御が実行された（ステップ１１０）後に、吸気弁停止制御からの復帰処理が実行される（ステップ２００）とともに、フューエルカットからの復帰（すなわち、燃料噴射の再開）が実行される（ステップ２０２）。
【００５８】
次に、上記ステップ１１２において排気弁３２の開閉時期の進角量が上記所定値以下であるか否かが判定される。その結果、本ステップ１１２の判定が未だ不成立である場合には、上述した筒内圧上昇抑制制御が実行される（ステップ２０４）。一方、上記ステップ１１２の判定が成立した場合には、上記筒内圧上昇抑制制御が終了される。
【００５９】
以上説明した図６に示すルーチンによれば、フューエルカットからの復帰要求が出された場合には、筒内残留ガスの上記吹き返しの影響がなくなったと判断できる制御位置に排気弁３２の開閉時期が遅角される。更に、フューエルカットからの復帰要求の成立に伴い吸気弁弁停止制御からの復帰処理が実行されたうえで、排気弁３２の開閉時期が当該制御位置に遅角されるまで、上記筒内圧抑制制御が実行される。このような制御によって排気弁３２の開閉時期が十分に遅角されていない復帰当初の期間中に、燃焼時の筒内圧の上昇を抑制することで、吸気弁停止制御の実行中にはオイル上がりを抑制しつつ、吸気弁３０の復帰時に吸気通路１８に向けて吹き返される筒内残留ガス量を低減することができる。また、排気衝撃波による騒音や触媒３８の損傷の発生を緩和することができる。
【００６０】
ところで、上述した実施の形態２においては、弁停止制御を伴うフューエルカットからの復帰要求が検知された場合に、排気弁３２の開閉時期の進角量が上記所定値以下になるまで、上記筒内圧上昇抑制制御が実行される。しかしながら、本発明はこれに限定されるものではない。すなわち、例えば、図１に示す内燃機関１０のように筒内圧力を検知するための筒内圧センサ５０を備えている場合には、上記復帰要求が検知された場合に、排気弁の開弁時の筒内圧力が、吸気通路への筒内残留ガスの吹き返しの影響があるか否かを判断するための所定値以下となるまで、上記筒内圧上昇抑制制御を実行するようにしてもよい。
【００６１】
尚、上述した実施の形態２においては、ＥＣＵ４０が、上記ステップ２００の処理を実行することにより前記第３の発明における「吸気弁復帰実行手段」が、上記ステップ１１２の処理を実行することにより前記第３の発明における「排気弁制御量判定手段」が、上記図６に示すルーチンの順序で上記ステップ１１０、１１２、２００〜２０４の一連の処理を実行することにより前記第３の発明における「弁復帰時筒内圧制御手段」が、それぞれ実現されている。
【００６２】
実施の形態３．
次に、図７および図８を参照して、本発明の実施の形態３について説明する。
本実施形態のシステムは、図１に示すハードウェア構成を用いて、ＥＣＵ４０に図４に示すルーチンに代えて後述の図８に示すルーチンを実行させることにより実現することができるものである。
【００６３】
図７は、本発明の実施の形態３における特徴的な制御を説明するためのタイムチャートである。より具体的には、図７（Ａ）はシフトレバーの実際のシフトポジションを表す波形を、図７（Ｂ）はシフトポジションセンサ５２の検出情報を表す波形を、図７（Ｃ）は排気弁３２の開閉時期の制御位置を表す波形を、それぞれ示している。尚、図７に示す状況では、アクセルペダルの踏み込みがなされていない状態（すなわち、フューエルカットからの復帰要求が出されていない状態）であるものとする。
【００６４】
上述した実施の形態１、２のように、吸気弁停止制御を伴うフューエルカットの実行時に、排気弁３２の開閉時期の進角を行うことで、オイル上がりを抑制することができる。排気可変動弁装置３６の上記位相可変機構として、油圧等を駆動力として利用する機構が用いられている場合、排気弁３２の開閉時期の変更には、ある程度の応答遅れを伴うこととなる。このため、フューエルカットからの復帰時には、それまで進角されていた排気弁３２の開閉時期を弁稼動状態時の位置に戻す際に生ずる上記位相可変機構の応答遅れにより、内燃機関１０のトルクの立ち上がりに遅れが生ずる（加速のもたつき感が生ずる）ことが問題となる。
【００６５】
一方、図７（Ａ）に示すように、運転者によるＢモードからＤモードへのシフトレバーの操作には、０．５秒程度の操作時間がかかるのが通常である。また、図７（Ｂ）に示すように、ＢモードからＤモードへのシフトレバーの操作の検出は、シフトポジションセンサ５２によりシフトレバーがＢモードから抜けることが検知される時点ｔ２において可能である。
【００６６】
既述したように、Ｄモードは、Ｂモードと比べ、より低い（高速側の）変速段の使用が可能となるモードである。従って、フューエルカット中（減速中）に運転者によってＢモードからＤモードへの切り換えが行われたということは、運転者による加速要求が近いうちに出される可能性が高いと判断することができる。そこで、本実施形態では、吸気弁停止制御を伴うフューエルカットの実行中にＢモードからＤモードへの切り換えが検知された場合には、フューエルカットからの復帰要求がまもなく出されるものとみなし、実際の復帰要求の検知を待たずに先行して、図７（Ｃ）に示すように排気弁３２の開閉時期の遅角制御を開始するようにした。
【００６７】
更に、本実施形態では、図７に示すように、運転者がＢモードからＤモードに変更する際のシフトレバーの操作に要する時間をモード変更操作時間（例えば、０．５秒）として予めＥＣＵ４０に設定しておくようにした。そして、このモード変更操作時間内に、排気弁３２の開閉時期の上記遅角制御が行われるように、排気可変動弁装置３６を制御するようにした。
【００６８】
図８は、上記の機能を実現するために、本実施の形態３においてＥＣＵ４０が実行する制御ルーチンを示すフローチャートである。尚、本ルーチンは、所定の制御周期毎に繰り返し実行されるものである。また、図８において、実施の形態１における図４に示すステップと同一のステップについては、同一の符号を付してその説明を省略または簡略する。
【００６９】
図８に示すルーチンでは、上記ステップ１０８においてフューエルカットからの復帰要求がないと判定された場合には、次いで、ＢモードからＤモードへの変速モードの切り換えが検知されたか否かが判定される（ステップ３００）。その結果、本ステップ３００の判定が成立した場合には、筒内残留ガス量を減らすために排気弁３２の開閉時期の遅角制御が実行される（ステップ１１０）。
【００７０】
また、図８に示すルーチンでは、上記ステップ１１２において排気弁３２の開閉時期の進角量が上記所定値以下であると判定された場合には、次いで、フューエルカットからの復帰要求（アクセルペダルの踏み込みによる加速要求）があるか否かが再度判定される（ステップ３０２）。そして、本ステップ３０２の判定が成立する場合に、吸気弁停止制御からの復帰（ステップ１１４）を伴うフューエルカットからの復帰（ステップ１１６）が実行される。
【００７１】
以上説明した図８に示すルーチンによれば、吸気弁停止制御を伴うフューエルカットの実行中にＢモードからＤモードへの切り換えが検知された場合には、フューエルカットからの復帰要求がまもなく出されるものと判断され、排気弁３２の開閉時期の遅角制御が実際の復帰要求の検知に先行して実行される。このような制御によれば、運転者によるシフトレバーの操作に要する時間（モード変更操作時間）を利用して、フューエルカットからの復帰後のための排気弁３２の開閉時期の遅角制御を済ませておくことができる。これにより、上記変速モードの切り換え後に実際にフューエルカットからの復帰要求が出された場合に、排気弁３２の開閉時期の遅角制御の応答遅れの影響を受けずに、直ちにフューエルカットからの復帰を実行することができる。このため、運転者に加速のもたつき感を感じさせないようにすることができる。
【００７２】
また、上述した実施の形態３においては、上述した実施の形態１の制御（図４参照）に対して本実施形態の制御を組み合わせることとしているが、これに代え、上述した実施の形態２の制御（図６参照）に対して本実施形態の制御を組み合わせるようにしてもよい。
【００７３】
尚、上述した実施の形態３においては、ＥＣＵ４０が、上記ステップ３００の処理を実行することにより前記第９の発明における「シフトポジション検知手段」が、上記ステップ３００の判定が成立した場合に上記ステップ１１０の処理を実行することにより前記第９の発明における「モード変更時排気弁制御手段」が、それぞれ実現されている。
【００７４】
実施の形態４．
次に、図９および図１０を参照して、本発明の実施の形態４について説明する。
本実施形態のシステムは、図１に示すハードウェア構成を用いて、ＥＣＵ４０に図４に示すルーチンに代えて後述の図１０に示すルーチンを実行させることにより実現することができるものである。
【００７５】
図９は、本発明の実施の形態４における特徴的な制御を説明するためのタイムチャートである。より具体的には、図９（Ａ）はアクセルペダルの踏み込みのＯＮ、ＯＦＦを表す波形を、図９（Ｂ）は排気弁３２の開閉時期の制御位置を表す波形を、図９（Ｃ）は吸気弁停止制御の実行中の推定オイル上がり量の変化を表す波形を、それぞれ示している。
【００７６】
本実施形態の制御は、吸気弁停止制御を伴うフューエルカットの実行時を対象とする制御である。本実施形態では、エンジン回転数、オイル温度、およびフューエルカット継続時間に基づいてオイル上がり量を推定するようにしている。時点ｔ４において吸気弁停止制御を伴うフューエルカットが開始されると、図９（Ｃ）に示すように、推定オイル上がり量が徐々に増加していく。
【００７７】
図９中の時点ｔ５は、推定オイル上がり量が所定値Ａ以上となった時点を示している。オイル上がり量が増えていくと、オイルがやがてピストンリングを通り抜けて燃焼室１４側に浸入するようになる。上記所定値Ａは、そのような燃焼室１４側へのオイルの浸入が発生するオイル上がり量よりも所定量低い値として予め設定されたものである。
【００７８】
本実施形態では、吸気弁停止制御を伴うフューエルカットが開始された場合であっても、図９（Ｂ）に示すように、オイル上がり抑制のための排気弁３２の開閉時期の上記進角制御を直ちに実行しないようにした。そのうえで、本実施形態では、フューエルカットが長時間実行されることにより推定オイル上がり量が上記所定値Ａとなる状況が発生した場合に、初めて上記進角制御を実行するようにした。
【００７９】
図１０は、上記の機能を実現するために、本実施の形態４においてＥＣＵ４０が実行する制御ルーチンを示すフローチャートである。尚、本ルーチンは、所定の制御周期毎に繰り返し実行されるものである。また、図１０において、実施の形態１における図４に示すステップと同一のステップについては、同一の符号を付してその説明を省略または簡略する。
【００８０】
図１０に示すルーチンでは、上記ステップ１０４において吸気弁停止制御が開始された後に、次いで、推定オイル上がり量が算出される（ステップ４００）。本ステップ４００では、上述したように、エンジン回転数、オイル温度、およびフューエルカット継続時間に基づいて、推定オイル上がり量が算出される。ＥＣＵ４０には、これらの各パラメータとの関係で推定オイル上がり量を定めたマップ（図示省略）が記憶されており、そのようなマップを参照して推定オイル上がり量が取得される。上記マップでは、エンジン回転数が高くなるほど、推定オイル上がり量が多くなるように設定されている。また、オイル温度が高いほど、推定オイル上がり量が多くなるように設定されている。更に、フューエルカット継続時間が長くなるほど、推定オイル上がり量が多くなるように設定されている。
【００８１】
次に、上記ステップ４００において算出された推定オイル上がり量が上記所定値Ａ以上であるか否かが判定される（ステップ４０２）。その結果、推定オイル上がり量が上記所定値Ａ未満である場合には、排気弁３２の開閉時期の上記進角制御は実行されない。一方、推定オイル上がり量が上記所定値Ａ以上となった場合には、排気弁３２の開閉時期の上記進角制御が実行される（ステップ１０６）。尚、図１０に示すルーチンにおける以後のステップの処理は、上記図４に示すルーチンのステップ１０８〜１１６の処理と同様である。
【００８２】
以上説明した図１０に示すルーチンによれば、吸気弁停止制御を伴うフューエルカットが開始された場合において推定オイル上がり量が上記所定値Ａ未満である状況下では、オイル上がり抑制のための排気弁３２の開閉時期の上記進角制御が実行されないようになる。言い換えれば、推定オイル上がり量に応じて、上記進角制御の実施を遅らせる遅延時間が決定される。このような制御によれば、推定オイル上がり量が上記所定値Ａ未満である状況下では、フューエルカット復帰時における排気弁３２の開閉時期の上記遅角制御による応答遅れの問題なしに、フューエルカットからの復帰要求に対して迅速に対応できるように準備しておくことができる。このように、本実施形態の制御によれば、上記遅角制御による応答遅れが生ずるケースを必要最小限に減らすことができる。
【００８３】
ところで、上述した実施の形態４においては、エンジン回転数、オイル温度、およびフューエルカット継続時間に基づいて推定オイル上がり量を算出するようにしている。しかしながら、本発明におけるオイル上がりの推定手法は、上記手法に限定されるものではない。すなわち、例えば、図１に示す内燃機関１０のように筒内圧力を検知するための筒内圧センサ５０を備えている場合には、筒内圧が低くなるほど（筒内の負圧が高くなるほど）、オイル上がりがし易くなるので、筒内圧力に基づいてオイル上がり量を推定するようにしてもよい。
【００８４】
また、上述した実施の形態４においては、上述した実施の形態１の制御（図４参照）に対して本実施形態の制御を組み合わせることとしているが、これに代え、上述した実施の形態２の制御（図６参照）に対して本実施形態の制御を組み合わせるようにしてもよい。
【００８５】
尚、上述した実施の形態４においては、ＥＣＵ４０が上記ステップ４００の処理を実行することにより前記第７の発明における「オイル上がり量推定手段」が実現されている。
【００８６】
その他の制御．
次に、弁停止制御を伴うフューエルカットの実行時に、エンジンブレーキ力を確保しつつオイル上がりを抑制するうえで好適な制御について説明する。
図１１は、弁停止制御を伴うフューエルカットの実行時に好適な制御を説明するためのタイムチャートである。より具体的には、図１１（Ａ）はアクセルペダルの踏み込みのＯＮ、ＯＦＦを表す波形を、図１１（Ｂ）は＃１、＃４気筒における吸排気弁３０、３２の弁停止制御を表す波形を、図１１（Ｃ）は＃２、＃３気筒における吸排気弁３０、３２の弁停止制御を表す波形を、それぞれ示している。
【００８７】
フューエルカットの実行時に弁停止制御を行う際に、吸気弁３０に対してのみ弁停止制御を行って排気弁３２は通常通り稼動させる手法（既に説明したように、ここでも「吸気弁停止制御」と称する）では、既述したように、筒内が大きく負圧化し易くなるので、オイル上がりが発生し易くなる。しかしながら、吸気弁停止制御が用いられていると、排気弁３２の開閉に伴って生ずるポンプ損失によりエンジンブレーキ力を確保し易くなる。
【００８８】
一方、吸排気弁３０、３２の双方に対して弁停止制御を行う手法（以下、「吸排気弁停止制御」と称する）が用いられる場合には、弁停止制御の開始から数サイクルが経過した後には、筒内（燃焼室１４内）に存在するガス量は、ピストン１２が上死点と下死点の中間位置にある時の筒内の容積に応じた空気量（大気圧下）と同等の量で安定した状態となる。その結果、吸排気弁停止制御中には、オイル上がりが発生しにくくなる。しかしながら、吸排気弁停止制御が用いられていると、上記ポンプ損失が存在しないので、エンジンブレーキ力を確保しにくくなる。
【００８９】
そこで、図１１に示すように、時点ｔ６においてアクセルペダルがＯＦＦとされることに伴って弁停止制御を伴うフューエルカットが実行される場合には、次のような制御を行うようにしてもよい。すなわち、この制御例では、内燃機関１０が備える４つの気筒を、＃１気筒と＃４気筒からなる第１気筒群と＃２気筒と＃３気筒とからなる第２気筒群とに分けたうえで、図１１（Ｂ）、（Ｃ）に示すように、所定時間毎に、吸気弁停止制御を実行する気筒群と吸排気弁停止制御を実行する気筒群とを交互に切り換えるようにしてもよい。
【００９０】
以上説明した制御によれば、吸気弁停止制御を行う気筒群を設けることによりエンジンブレーキ力を確保しつつ、吸気弁停止制御を実行する気筒群と吸排気弁停止制御を実行する気筒群とを交互に切り換えることによりオイル上がりの抑制を図ることができる。
【符号の説明】
【００９１】
１０  内燃機関
１２  ピストン
１４  燃焼室
１６  クランク室
１８  吸気通路
２０  排気通路
２４  スロットルバルブ
２６  筒内燃料噴射弁
３０  吸気弁
３２  排気弁
３４  吸気可変動弁装置
３６  排気可変動弁装置
３８  触媒
４０  ＥＣＵ(Electronic Control Unit)
４２  クランク角センサ
４４  排気カム角センサ
４６  アクセル開度センサ
４８  油温センサ
５０  筒内圧センサ
５２  シフトポジションセンサ
【図１】
2011114518.tif 000003
【図２】
2011114518.tif 000004
【図３】
2011114518.tif 000005
【図４】
2011114518.tif 000006
【図５】
2011114518.tif 000007
【図６】
2011114518.tif 000008
【図７】
2011114518.tif 000009
【図８】
2011114518.tif 000010
【図９】
2011114518.tif 000011
【図１０】
2011114518.tif 000012
【図１１】
2011114518.tif 000013
【手続補正書】
【提出日】平成23年7月21日(2011.7.21)
【手続補正１】
【補正対象書類名】特許請求の範囲
【補正対象項目名】全文
【補正方法】変更
【補正の内容】
【特許請求の範囲】
【請求項１】
吸気弁の動作状態を弁稼働状態と閉弁停止状態との間で変更可能な吸気弁停止機構と、
排気弁の開弁特性を目標値に向けて応答遅れを伴いながら変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
を備え、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまで、前記閉弁停止状態から前記弁稼働状態への前記吸気弁の動作状態の変更を禁止する吸気弁復帰禁止手段と、
を更に備えることを特徴とする内燃機関の制御装置。
【請求項２】
吸気弁の動作状態を弁稼働状態と閉弁停止状態との間で変更可能な吸気弁停止機構と、
排気弁の開弁特性を変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
を備え、
前記吸気弁停止制御を伴う前記フューエルカットからの復帰要求が検知された場合に、前記吸気弁の動作状態を前記閉弁停止状態から前記弁稼働状態に変更する吸気弁復帰実行手段と、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまでの間、燃焼時の筒内圧力の上昇を抑制する筒内圧上昇抑制制御を実行する弁復帰時筒内圧制御手段と、
を更に備えることを特徴とする内燃機関の制御装置。
【請求項３】
前記筒内圧抑制制御は、燃料噴射量の減少、スロットルバルブの開度の減少、および前記吸気弁のリフト量の減少のうちの少なくとも１つを行う制御であることを特徴とする請求項２記載の内燃機関の制御装置。
【請求項４】
前記排気可変動弁装置は、クランクシャフトの回転位相に対する排気カムシャフトの回転位相を変更することで、前記排気弁の開閉時期を変更可能な位相可変機構を含み
前記弁停止時排気弁制御手段は、前記吸気弁停止制御の実行時に、前記排気弁の開閉時期の進角制御を行う手段であって、
前記弁復帰時排気弁制御手段は、前記吸気弁停止制御を伴う前記フューエルカットからの復帰要求が検知された場合に、前記排気弁の開閉時期の遅角制御を行う手段であって、
前記排気弁制御量判定手段は、前記弁復帰時排気弁制御手段による前記遅角制御の実行時に、前記排気弁の開閉時期の進角量が所定値以下になるまで制御されたか否かを判定する手段であることを特徴とする請求項１乃至３の何れか１項記載の内燃機関の制御装置。
【請求項５】
前記内燃機関の制御装置は、筒内圧力を検知または推定する筒内圧力取得手段を更に備え、
前記排気弁制御量判定手段は、前記吸気弁停止制御の実行時に、前記排気弁の開弁時の筒内圧力が所定値以下である場合に、前記排気弁の開弁特性が前記制御量になるまで制御されたと判定することを特徴とする請求項１乃至４の何れか１項記載の内燃機関の制御装置。
【請求項６】
前記内燃機関の制御装置は、前記吸気弁停止制御の実行中にクランク室側から燃焼室側に向けて移動するオイルの量であるオイル上がり量を推定するオイル上がり量推定手段を更に備え、
前記弁停止時排気弁制御手段は、前記オイル上がり量が所定値以上である場合に、前記排気弁の開弁特性の前記変更を実行することを特徴とする請求項１乃至５の何れか１項記載の内燃機関の制御装置。
【請求項７】
前記オイル上がり量推定手段は、エンジン回転数、オイル温度、フューエルカット継続時間、および筒内圧力のうちの少なくとも１つに基づいて、前記オイル上がり量を推定する手段であることを特徴とする請求項１乃至６の何れか１項記載の内燃機関の制御装置。
【請求項８】
吸気弁の動作状態を弁稼働状態と閉弁停止状態との間で変更可能な吸気弁停止機構と、
排気弁の開弁特性を変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
を備え、
前記内燃機関と組み合わされる変速機とともに前記内燃機関を備える車両の制御装置であって、
前記変速機を操作するための操作手段のシフトポジションを検知するシフトポジション検知手段を更に備え、
前記弁復帰時排気弁制御手段は、前記弁停止時排気弁制御手段による前記排気弁の開弁特性の変更が実行されている場合において、第１モードから当該第１モードよりも高い減速力が得られる第２モードへの前記シフトポジションの変更が検知された場合には、前記筒内残留ガス量が減るように前記排気弁の開弁特性を変更するモード変更時排気弁制御手段を含むことを特徴とする内燃機関を備える車両の制御装置。
【請求項９】
前記モード変更時排気弁制御手段は、前記第１モードから前記第２モードに変更する際の前記操作手段の操作に要する時間として予め設定されたモード変更操作時間内に、前記排気弁の開弁特性の変更を実行することを特徴とする請求項８記載の内燃機関を備える車両の制御装置。
【手続補正書】
【提出日】平成24年8月3日(2012.8.3)
【手続補正１】
【補正対象書類名】特許請求の範囲
【補正対象項目名】全文
【補正方法】変更
【補正の内容】
【特許請求の範囲】
【請求項１】
吸気弁の動作状態を弁稼働状態と閉弁停止状態との間で変更可能な吸気弁停止機構と、
排気弁の開弁特性を目標値に向けて応答遅れを伴いながら変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまで、前記閉弁停止状態から前記弁稼働状態への前記吸気弁の動作状態の変更を禁止する吸気弁復帰禁止手段と、
を備えることを特徴とする内燃機関の制御装置。
【請求項２】
吸気弁の動作状態を弁稼働状態と閉弁停止状態との間で変更可能な吸気弁停止機構と、
排気弁の開弁特性を変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
前記吸気弁停止制御を伴う前記フューエルカットからの復帰要求が検知された場合に、前記吸気弁の動作状態を前記閉弁停止状態から前記弁稼働状態に変更する吸気弁復帰実行手段と、
前記弁復帰時排気弁制御手段による制御の実行時に、前記筒内残留ガス量を所定値以下とする制御量になるまで前記排気弁の開弁特性が制御されたか否かを判定する排気弁制御量判定手段と、
前記吸気弁停止制御を伴う前記フューエルカットからの復帰要求が検知された場合に、前記弁復帰時排気弁制御手段によって前記排気弁の開弁特性が前記制御量になるまで制御されたと判定されるまでの間、燃焼時の筒内圧力の上昇を抑制する筒内圧上昇抑制制御を実行する弁復帰時筒内圧制御手段と、
を備えることを特徴とする内燃機関の制御装置。
【請求項３】
前記筒内圧上昇抑制制御は、燃料噴射量の減少、スロットルバルブの開度の減少、および前記吸気弁のリフト量の減少のうちの少なくとも１つを行う制御であることを特徴とする請求項２記載の内燃機関の制御装置。
【請求項４】
前記排気可変動弁装置は、クランクシャフトの回転位相に対する排気カムシャフトの回転位相を変更することで、前記排気弁の開閉時期を変更可能な位相可変機構を含み
前記弁停止時排気弁制御手段は、前記吸気弁停止制御の実行時に、前記排気弁の開閉時期の進角制御を行う手段であって、
前記弁復帰時排気弁制御手段は、前記吸気弁停止制御を伴う前記フューエルカットからの復帰要求が検知された場合に、前記排気弁の開閉時期の遅角制御を行う手段であって、
前記排気弁制御量判定手段は、前記弁復帰時排気弁制御手段による前記遅角制御の実行時に、前記排気弁の開閉時期の進角量が所定値以下になるまで制御されたか否かを判定する手段であることを特徴とする請求項１乃至３の何れか１項記載の内燃機関の制御装置。
【請求項５】
前記内燃機関の制御装置は、筒内圧力を検知または推定する筒内圧力取得手段を更に備え、
前記排気弁制御量判定手段は、前記吸気弁停止制御の実行時に、前記排気弁の開弁時の筒内圧力が所定値以下である場合に、前記排気弁の開弁特性が前記制御量になるまで制御されたと判定することを特徴とする請求項１乃至４の何れか１項記載の内燃機関の制御装置。
【請求項６】
前記内燃機関の制御装置は、前記吸気弁停止制御の実行中にクランク室側から燃焼室側に向けて移動するオイルの量であるオイル上がり量を推定するオイル上がり量推定手段を更に備え、
前記弁停止時排気弁制御手段は、前記オイル上がり量が所定値以上である場合に、前記排気弁の開弁特性の前記変更を実行することを特徴とする請求項１乃至５の何れか１項記載の内燃機関の制御装置。
【請求項７】
前記オイル上がり量推定手段は、エンジン回転数、オイル温度、フューエルカット継続時間、および筒内圧力のうちの少なくとも１つに基づいて、前記オイル上がり量を推定する手段であることを特徴とする請求項１乃至６の何れか１項記載の内燃機関の制御装置。
【請求項８】
吸気弁の動作状態を弁稼働状態と閉弁停止状態との間で変更可能な吸気弁停止機構と、
排気弁の開弁特性を変更可能な排気可変動弁装置と、
内燃機関の運転中に、所定の実行条件が成立した場合にフューエルカットを実行するフューエルカット実行手段と、
前記フューエルカットの実行時に、前記吸気弁の動作状態を前記弁稼働状態から前記閉弁停止状態に変更する吸気弁停止制御を実行する吸気弁停止実行手段と、
前記吸気弁停止制御の実行時に、前記排気弁の閉弁時に筒内に残留するガスの筒内残留ガス量が増えるように、前記排気弁の開弁特性を変更する弁停止時排気弁制御手段と、
前記フューエルカットからの復帰要求を検知するフューエルカット復帰要求検知手段と、
前記吸気弁停止制御を伴う前記フューエルカットからの復帰要求が検知された場合において、前記弁停止時排気弁制御手段による前記排気弁の開弁特性の変更が実行されている場合には、前記筒内残留ガス量が減るように、前記排気弁の開弁特性を変更する弁復帰時排気弁制御手段と、
を備え、
前記内燃機関と組み合わされる変速機とともに前記内燃機関を備える車両の制御装置であって、
前記変速機を操作するための操作手段のシフトポジションを検知するシフトポジション検知手段を更に備え、
前記弁復帰時排気弁制御手段は、前記弁停止時排気弁制御手段による前記排気弁の開弁特性の変更が実行されている場合において、第１モードから当該第１モードよりも高い減速力が得られる第２モードへの前記シフトポジションの変更が検知された場合には、前記筒内残留ガス量が減るように前記排気弁の開弁特性を変更するモード変更時排気弁制御手段を含むことを特徴とする内燃機関を備える車両の制御装置。
【請求項９】
前記モード変更時排気弁制御手段は、前記第１モードから前記第２モードに変更する際の前記操作手段の操作に要する時間として予め設定されたモード変更操作時間内に、前記排気弁の開弁特性の変更を実行することを特徴とする請求項８記載の内燃機関を備える車両の制御装置。
【手続補正２】
【補正対象書類名】明細書
【補正対象項目名】０００９
【補正方法】変更
【補正の内容】
【０００９】
また、第４の発明は、第３の発明において、
前記筒内圧上昇抑制制御は、燃料噴射量の減少、スロットルバルブの開度の減少、および前記吸気弁のリフト量の減少のうちの少なくとも１つを行う制御であることを特徴とする。
【手続補正３】
【補正対象書類名】明細書
【補正対象項目名】００３４
【補正方法】変更
【補正の内容】
【００３４】
更に、内燃機関１０を搭載する車両は、内燃機関１０と組み合わされる変速機（図示省略）を備えている。ここでは、そのような変速機として、ドライブモード（Ｄモード）とブレーキモード（Ｂモード）とを含む変速モードを有する自動変速機が用いられているものとする。Ｄモードは、自動変速が行われるモードであり、Ｂモードは、Ｄモード使用時と比べて高い減速力が得られるように設定されたモードである。ここでは、そのようなＢモードの一例として、Ｄモード選択時に使用される複数の変速段のうちの高速側の変速段よりも減速比の高い変速段で固定されるモードが使用されているものとする（例えば、Ｄモードが１〜５速の５つの変速段での切り換えが行われる場合には、２速に固定されるモードとしてＢモードを備えているものとする）。また、本実施形態のシステムは、上記変速機の変速モードを切り換えるためのシフトレバー（操作手段）のシフトポジションを検知するためのシフトポジションセンサ５２を備えている。シフトポジションセンサ５２は、上記ＥＣＵ４０に接続されている。
【手続補正４】
【補正対象書類名】明細書
【補正対象項目名】００５９
【補正方法】変更
【補正の内容】
【００５９】
以上説明した図６に示すルーチンによれば、フューエルカットからの復帰要求が出された場合には、筒内残留ガスの上記吹き返しの影響がなくなったと判断できる制御位置に排気弁３２の開閉時期が遅角される。更に、フューエルカットからの復帰要求の成立に伴い吸気弁弁停止制御からの復帰処理が実行されたうえで、排気弁３２の開閉時期が当該制御位置に遅角されるまで、上記筒内圧上昇抑制制御が実行される。このような制御によって排気弁３２の開閉時期が十分に遅角されていない復帰当初の期間中に、燃焼時の筒内圧の上昇を抑制することで、吸気弁停止制御の実行中にはオイル上がりを抑制しつつ、吸気弁３０の復帰時に吸気通路１８に向けて吹き返される筒内残留ガス量を低減することができる。また、排気衝撃波による騒音や触媒３８の損傷の発生を緩和することができる。
【手続補正５】
【補正対象書類名】明細書
【補正対象項目名】００６６
【補正方法】変更
【補正の内容】
【００６６】
既述したように、Ｄモードは、Ｂモードと比べ、より高い（高速側の）変速段の使用が可能となるモードである。従って、フューエルカット中（減速中）に運転者によってＢモードからＤモードへの切り換えが行われたということは、運転者による加速要求が近いうちに出される可能性が高いと判断することができる。そこで、本実施形態では、吸気弁停止制御を伴うフューエルカットの実行中にＢモードからＤモードへの切り換えが検知された場合には、フューエルカットからの復帰要求がまもなく出されるものとみなし、実際の復帰要求の検知を待たずに先行して、図７（Ｃ）に示すように排気弁３２の開閉時期の遅角制御を開始するようにした。
【国際調査報告】
2011114518.tif 000014
2011114518.tif 000015
2011114518.tif 000016
2011114518.tif 000017